(57)【要約】【課題】リフロー時にコネクタハウジングが基板に対して位置ずれするのを防止する。【解決手段】基板用コネクタ１０は、基板１００の表面に実装され、コネクタハウジング２０と、コネクタハウジング２０に装着され、基板１００の導電部にリフロー半田で接続される端子金具４０とを備える。そして、基板用コネクタ１０は、基板１００とコネクタハウジング２０との間に配置され、この両者に当接することにより、この両者の相対的な位置ずれを規制し、さらに、リフロー時の熱に耐える耐熱性を有する滑り止め部材８０を備えている。【選択図】図３
2013025904.tif 000002
【特許請求の範囲】
【請求項１】
プリント基板の表面に実装される基板用コネクタであって、
コネクタハウジングと、
前記コネクタハウジングに装着され、前記プリント基板の導電部にリフロー半田で接続される端子金具と、
前記プリント基板と前記コネクタハウジングとの間に配置され、この両者に当接することにより、この両者の相対的な位置ずれを規制し、さらに、リフロー時の熱に耐える耐熱性を有する滑り止め部材とを備えていることを特徴とする基板用コネクタ。
【請求項２】
前記滑り止め部材がシリコン製の弾性部材で構成されていることを特徴とする請求項１記載の基板用コネクタ。
【請求項３】
前記コネクタハウジングの底面には、前記滑り止め部材を収容する収容凹部が形成されていることを特徴とする請求項１又は２記載の基板用コネクタ。
【請求項４】
前記コネクタハウジングの底面には、前記滑り止め部材を抜け止めする固定部が形成されていることを特徴とする請求項１ないし３のいずれか１項記載の基板用コネクタ。
【請求項５】
前記コネクタハウジングが筒状のフード部を有し、前記固定部が前記フード部の底壁においてこのフード部の開口方向に延びて開口端に開口する凹部とされていることを特徴とする請求項４記載の基板用コネクタ。
【発明の詳細な説明】
【技術分野】
【０００１】
本発明は、基板用コネクタに関する。
【背景技術】
【０００２】
特許文献１には従来の基板用コネクタが開示されている。このものは、コネクタハウジングと、コネクタハウジングに貫通して装着される端子金具と、コネクタハウジングの両側面に取り付けられる一対の固定部材とを備えている。コネクタハウジングはプリント基板（以下、基板という）の表面に載置され、その状態でリフロー炉内に通される。すると、基板に塗布された半田が溶融し、その溶融した半田が端子金具及び固定部材に付着される。その後、半田が冷却固化されると、端子金具が基板の導電部に電気的に接続され、また、固定部材が基板に固定され、ひいては基板用コネクタが固定部材を介して基板に固定されるようになっている。
【先行技術文献】
【特許文献】
【０００３】
【特許文献１】特開２００５−１６６４９１号公報
【発明の概要】
【発明が解決しようとする課題】
【０００４】
しかし、上記のコネクタハウジングは、リフロー炉内で加熱される間、基板に固定されていないため、基板に対して正規の取付位置から位置ずれするおそれがあった。
【０００５】
本発明は上記のような事情に基づいて完成されたものであって、リフロー時にコネクタハウジングが位置ずれするのを防止することを目的とする。
【課題を解決するための手段】
【０００６】
上記の目的を達成するための手段として、請求項１の発明は、プリント基板の表面に実装される基板用コネクタであって、コネクタハウジングと、前記コネクタハウジングに装着され、前記プリント基板の導電部にリフロー半田で接続される端子金具と、前記プリント基板と前記コネクタハウジングとの間に配置され、この両者に当接することにより、この両者の相対的な位置ずれを規制し、さらに、リフロー時の熱に耐える耐熱性を有する滑り止め部材とを備えているところに特徴を有する。
【０００７】
請求項２の発明は、請求項１に記載のものにおいて、前記滑り止め部材がシリコン製の弾性部材で構成されているところに特徴を有する。
【０００８】
請求項３の発明は、請求項１又は２に記載のものにおいて、前記コネクタハウジングの底面には、前記滑り止め部材を収容する収容凹部が形成されているところに特徴を有する。
【０００９】
請求項４の発明は、請求項１ないし３のいずれか１項に記載のものにおいて、前記コネクタハウジングの底面には、前記滑り止め部材を抜け止めする固定部が形成されているところに特徴を有する。
【００１０】
請求項５の発明は、請求項４に記載のものにおいて、前記コネクタハウジングが筒状のフード部を有し、前記固定部が前記フード部の底壁においてこのフード部の開口方向に延びて開口端に開口する凹部とされているところに特徴を有する。
【発明の効果】
【００１１】
＜請求項１の発明＞
リフロー時にコネクタハウジングが基板に対して位置ずれするのが滑り止め部材によって防止される。
【００１２】
＜請求項２の発明＞
滑り止め部材がシリコン製の弾性部材で構成されているため、入手容易であるとともに、衝撃吸収性に優れる。
【００１３】
＜請求項３の発明＞
コネクタハウジングの底面には滑り止め部材を収容する収容凹部が形成されているため、基板用コネクタが高さ方向及び幅方向に大型化するのが回避される。
【００１４】
＜請求項４の発明＞
コネクタハウジングの底面には滑り止め部材を抜け止めする固定部が形成されているため、コネクタハウジングと滑り止め部材とを一体に取り扱うことができる。
【００１５】
＜請求項５の発明＞
固定部がフード部の底壁においてフード部の開口方向に延びて開口端に開口する凹部とされているため、フード部と固定部を成形する際に用いる金型の抜き方向が互いに同じ方向となり、型抜きし易い。
【図面の簡単な説明】
【００１６】
【図１】本発明の実施形態１に係る基板用コネクタの斜視図である。
【図２】基板用コネクタの正面図である。
【図３】図２のＡ−Ａ線断面図である。
【図４】基板用コネクタの平面図である。
【図５】基板用コネクタの側面図である。
【図６】本発明の実施形態２に係る基板用コネクタの斜視図である。
【図７】基板用コネクタの正面図である。
【図８】図７のＢ−Ｂ線断面図である。
【図９】基板用コネクタの要部断面図である。
【発明を実施するための形態】
【００１７】
＜実施形態１＞
本発明の実施形態１を図１ないし図５によって説明する。実施形態１に係る基板用コネクタ１０は、図１に示すように、コネクタハウジング２０、端子金具４０、固定部材６０、及び滑り止め部材８０を備えている。コネクタハウジング２０は図示しない相手コネクタハウジングに嵌合可能とされている。なお、以下の説明において前後方向については、嵌合時に相手コネクタハウジングが進入する側を前方とする。
【００１８】
コネクタハウジング２０は、図２に示すように、プリント基板（以下、基板１００という）の表面に載置され、幅方向に長い角筒状のフード部２１を有している。フード部２１は、奥壁２２、底壁２３、天井壁２４、及び左右一対の側壁２５からなり、後面が奥壁２２で閉止され、前面が開放された形態とされている。底壁２３の下面（底面）には、滑り止め部材８０を収容する有底の収容凹部２６が形成されている。収容凹部２６は、奥壁２２の前方でかつ両側壁２５の間に配置され、底壁２３の略全幅及び略全長に亘る範囲に凹み形成されている。コネクタハウジング２０が基板１００に載置された状態では、収容凹部２６は、基板１００との間に横長スリット状に開口することになる。
【００１９】
端子金具４０は導電金属製であって、図３に示すように、全体としてピン状をなし、前後方向に略水平に延びる第１片部４１と、第１片部４１の後端から下方に略垂直に延びる第２片部４２と、第２片部４２の下端から後方に略水平に延びる第３片部４３とを有している。第１片部４１は奥壁２２を貫通してフード部２１の内外に臨むように配置され、第２片部４２は奥壁２２の後面（背面）と距離をあけて対向して配置され、第３片部４３は基板１００の表面に沿って配置される。第１片部４１の前端部は、両コネクタハウジングの嵌合に伴って図示しない相手端子金具と電気的に接続される。また、第３片部４３の下端部は、基板１００の表面に形成された導電部とリフロー半田によって接続される。なお、第１片部４１は奥壁２２に圧入又はインサートによって装着される。
【００２０】
固定部材６０は金属製の板材であって、図４及び図５に示すように、フード部２１の両側壁２５と対応するように左右で対をなして設けられている。具体的には、固定部材６０は、上下方向に略垂直に延びる第１板部６１と、第１板部６１の下端から側方へ略水平に延びる第２板部６２とを有し、全体としてＬ字形をなしている。第１板部６１は、両側壁２５の外側面に圧入して装着され、第２板部６２は、基板１００の表面にリフロー半田によって固定される。これにより、コネクタハウジング２０は、固定部材６０を介して、基板１００に固定される。
【００２１】
滑り止め部材８０は、シリコン製のシリコンシートからなり、所定の弾力性及び耐久性を有し、かつ、リフロー炉内の熱に耐え得る耐熱性を有している。そして、滑り止め部材８０は、図１及び図３に示すように、収容凹部２６に密嵌可能な矩形マット状をなしている。コネクタハウジング２０が基板１００に載置されると、滑り止め部材８０は、コネクタハウジング２０と基板１００との間に挟まれるように配置される。このとき、滑り止め部材８０の上面は、コネクタハウジング２０の下面、詳細には収容凹部２６の内底面に当接し、滑り止め部材８０の下面は、基板１００の表面に当接した状態となる。滑り止め部材８０とコネクタハウジング２０との間、及び滑り止め部材８０と基板１００との間には、相互の位置ずれを規制可能な摩擦力が作用している。
【００２２】
次に、実施形態１に係る基板用コネクタ１０を基板１００に取り付ける手順について説明する。
コネクタハウジング２０には、端子金具４０が装着されるとともに、固定部材６０が装着され、かつ収容凹部２６に下方から滑り止め部材８０が嵌着される。この状態で、コネクタハウジング２０は基板１００に載置される。基板１００の表面には予め半田が塗布され、端子金具４０の第３片部４３及び固定部材６０の第２板部６２がそれぞれ対応する半田のランドに位置合わせして載せられる。そして、基板１００に載せられたコネクタハウジング２０は図示しないリフロー炉内に通される。すると、半田が溶融され、溶融された半田が端子金具４０の第３片部４３及び固定部材６０の第２板部６２に付着する。その後、半田が冷却して固化されると、端子金具４０の第３片部４３が基板１００の導電部に導通接続されるとともに、固定部材６０の第２板部６２が基板１００に固定され、基板用コネクタ１０が基板１００に載置固定される。
【００２３】
上記の場合に、コネクタハウジング２０と基板１００との間には滑り止め部材８０が設けられ、この滑り止め部材８０がコネクタハウジング２０と基板１００のそれぞれに所定の摩擦力で当接していることから、リフロー炉内の通過過程で、基板１００に対してコネクタハウジング２０が位置ずれするのが防止される。その結果、端子金具４０が基板１００の所定位置に確実に導通接続されるとともに、固定部材６０が基板１００の所定位置に確実に固定される。
【００２４】
また、滑り止め部材８０が、耐熱性、断熱性、及び弾力性のあるシリコンシートで構成されるため、リフロー炉内の熱に耐えることができるとともに、コネクタハウジングへの伝熱が抑えられ、かつ、衝撃吸収性に優れる。さらに、コネクタハウジング２０の底面には滑り止め部材８０を収容する収容凹部２６が形成されているため、基板用コネクタ１０が高さ方向及び幅方向に大型化するのが回避される。
【００２５】
＜実施形態２＞
図６ないし図８は、本発明の実施形態２を示す。実施形態２では、フード部２１の底壁２３及び滑り止め部材８０の各形状が実施形態１とは異なる。その他は、実施形態１と同様であるため、実施形態１と同様の部位には同一符号を付し、重複する説明は省略する。
【００２６】
底壁２３の幅方向一側には、滑り止め部材８０をコネクタハウジング２０に抜け止めする凹部３１（固定部）が形成されている。凹部３１は、底壁２３を厚み方向に貫通してフード部２１の内面及び収容凹部２６の底面に開口する形態とされている。また、凹部３１は、前後方向（フード部２１の開口方向）に延びてフード部２１の前端（開口端）に開口する形態とされている。そして、フード部２１の内面における凹部３１の左右両縁には、段付き状の段部３２が形成されている。
【００２７】
滑り止め部材８０の上面には凹部３１に挿入可能な凸部８１が突出して形成されている。凸部８１は、円柱状をなし、その上端にフランジ部８２が周方向に張り出して形成されている。
【００２８】
上記の場合に、滑り止め部材８０がコネクタハウジング２０の収容凹部２６に嵌着されると、凸部８１が凹部３１に嵌合されるとともに、フランジ部８２が段部３２に弾性的に掛け止められる。これにより、滑り止め部材８０が収容凹部２６に抜け止め状態で保持され、コネクタハウジング２０と滑り止め部材８０とを一体に取り扱うことが可能となる。
【００２９】
＜実施形態３＞
図９は、本発明の実施形態３を示す。実施形態３では、フード部２１の底壁２３の幅方向一側に、実施形態２の凹部３１に相当する第１凹部３１が形成され、底壁２３の幅方向他側に、第１凹部３１とは別の第２凹部３３が形成されている。第２凹部３３は、前後方向に延びてフード部２１の後端に開口し、第１凹部３１とは底壁２３の中心を挟んで略点対称の形態とされている。
【００３０】
また、滑り止め部材８０には、第１凸部８１と第２凸部８３が形成されている。第１凸部８１は、実施形態２の凸部８１に相当するものであって、第１凹部３１に嵌合可能とされている。第２凸部８３は、第１凸部８１とは滑り止め部材８０の中心を挟んで略点対称の形態とされ、第２凹部３３に嵌合可能とされている。
【００３１】
上記の場合に、滑り止め部材８０がコネクタハウジング２０の収容凹部２６に嵌着されると、第１凸部８１及び第２凸部８３がそれぞれ第１凹部３１及び第２凹部３３に嵌合されるとともに、第１凸部８１及び第２凸部８３の各フランジ部８２が第１凹部３１及び第２凹部３３の各段部３２に弾性的に掛け止められる。これにより、滑り止め部材８０が収容凹部２６から抜け出るのが確実に防止される。
【００３２】
＜他の実施形態＞
本発明は上記記述及び図面によって説明した実施形態に限定されるものではなく、例えば次のような実施形態も本発明の技術的範囲に含まれる。
（１）滑り止め部材はコネクタハウジングと基板との間に単に挟まれるように配置されるだけでもよく、コネクタハウジングから収容凹部を省略することも可能である。
（２）滑り止め部材は、コネクタハウジングの底壁の下面全体を覆うように装着されるのではなく、底壁の下面を部分的に覆うように装着されるものであってもよい。
（３）滑り止め部材は、シリコンテープ等のテープであってもよく、あるいは、シリコンジェル等の液状であってもよい。
（４）実施形態２では、凸部が凹部に前方からスライドして装着されるものであってもよい。
（５）コネクタハウジングは、固定部材を介するのではなく、基板にねじ止めされるものであってもよい。
【符号の説明】
【００３３】
１０…基板用コネクタ
２０…コネクタハウジング
２１…フード部
２３…底壁
２６…収容凹部
３１…凹部、第１凹部
３３…第２凹部
４０…端子金具
６０…固定部材
８０…滑り止め部材
８１…凸部、第１凸部
８３…第２凸部
１００…基板（プリント基板）
【図１】
2013025904.tif 000003
【図２】
2013025904.tif 000004
【図３】
2013025904.tif 000005
【図４】
2013025904.tif 000006
【図５】
2013025904.tif 000007
【図６】
2013025904.tif 000008
【図７】
2013025904.tif 000009
【図８】
2013025904.tif 000010
【図９】
2013025904.tif 000011